(57)【要約】  製品保持用リザーバ（３）を伴う、製品の放出、詳細には少しずつもしくは自由に流出させる装置（２）、製品放出開口部（４）、及びリザーバ（３）と装置（２）との間の接続部（５）を有する容器（１）を用いて任意量での製品の取り出しを可能とするため、装置（２）がリザーバ（３）に向いて配置される凹部（１７）を含む支承部（１１）及び製品放出開口部（４）に向いて配置される放出口（１８）を有すること、回転ドラム（１０）が支承部（１１）内に格納され、ドラム（１０）がチャネル（６）を有すること、前記チャネル（６）は一方が前記凹部（１７）に、他方が前記放出口（１８）に向かう第１の位置に配置されること、支承部（１１）上の閉鎖部（１６）がチャネル（６）の閉鎖に用いられること、及び手動で使用可能な作動装置（９）がドラム（１０）に接続された動作面（７）に作用するように設けられ、任意に、チャネル（６）が前記製品を通過させることができるように第１の位置にドラム（１０）を動かす、又はチャネル（６）が閉鎖部（１６）により閉鎖される第２の位置にドラムを動かすことが提案される。
2008539149.tif 000002
【特許請求の範囲】
【請求項１】
製品を放出する、特に、前記製品を滴らせる、または自由に流出させる装置（２）を有する容器（１）であって、前記製品を収容するリザーバ（３）、製品放出開口部（４）、及び前記リザーバ（３）と前記装置（２）との間の接続部（５）を有し、
前記装置（２）が、前記リザーバ（３）に向いて配置される凹部（１７）、及び前記製品放出開口部（４）に向いて配置される放出口（１８）を含む支承部（１１）を有し、
回転ドラム（１０）が前記支承部（１１）内に格納され、前記ドラム（１０）がチャネル（６）を有し、
前記チャネル（６）は、一方が前記凹部（１７）に、他方が前記放出口（１８）に向かう第１の位置に配置され、
前記支承部（１１）上の閉鎖部（１６）が、前記チャネル（６）の閉鎖に用いられ、
手動で使用可能な作動装置（９）が、前記ドラム（１０）に接続された動作面（７）に作用するように設けられ、任意に、前記チャネル（６）が前記製品を通過させることができるように前記第１の位置に前記ドラム（１０）を動かす、又は前記チャネル（６）が前記閉鎖部（１６）により閉鎖される第２の位置に前記ドラムを動かす容器。
【請求項２】
前記作動装置（９）が作動つまみであり、
前記支承部（１１）の開口部を通って前記つまみ上に設計されたピン（１２）を介して前記動作面（７）に作用し、及び
バネ（８）を用い、前記チャネル（６）が前記閉鎖部（１６）により閉鎖される位置、好ましくは前記第２の位置に前記ドラム（１０）が保持される、請求項１に記載の容器。
【請求項３】
前記動作面（７）がドラム凹部（１９）上に設けられる、請求項２に記載の容器。
【請求項４】
前記接続部（５）と前記凹部（１７）との間に、じょうご部（１４）が設けられる、請求項１〜３のいずれか一項に記載の容器。
【請求項５】
前記容器（１）が長手方向に伸長する形状であり、前記容器（１）の一方の末端部に前記製品放出開口部（４）が設けられる、請求項１〜４のいずれか一項に記載の容器。
【請求項６】
容器拡張部（１３）が前記末端部の反対側の端部に設けられる、請求項５に記載の容器。
【発明の詳細な説明】
【技術分野】
【０００１】
本発明の目的は、製品を放出する容器、特に美容院業界における粒子供給用容器に関する。
【背景技術】
【０００２】
粒子状のヘアトリートメント剤は、美容院で用いられる。前記トリートメント剤は、ユーザーが片方の手を違う作業のために空けられるように、もう片方の手で十分に製品を取り出せる簡単な方法で、容器から手動で取り出せなければならない。
【０００３】
請求項１の前文による容器は、ＤＥ ３４ ３８ ６７７ Ａ１号で周知である。製品放出装置を伴うこの容器は製品保持用リザーバを有し、製品放出開口部が製品の出口に用いられ、リザーバと装置との間の接続部により容器一体型デザインが提供される。
【発明の開示】
【発明が解決しようとする課題】
【０００４】
既知の容器は、放出装置から放出できる製品量が、所定の１容量のみであるという短所がある。取り出し量を変更することができない。
【０００５】
この目的は、請求項１の前文の目的をさらに発展させることであり、それによりこの短所を克服するものであった。
【課題を解決するための手段】
【０００６】
この目的は、請求項１の極めて特徴的な構成要素に従って達成される。それ故に装置は、リザーバに向いて配置される凹部を持つ支承部と、製品放出開口部に向いて配置される放出口を有する。回転ドラムが支承部内に格納され、ドラムはチャネルを有する。チャネルは、一方が前記凹部、他方が前記放出口に向かう第１の位置に配置される。支承部上の閉鎖部が、チャネルの閉鎖に用いられる。手動で使用可能な作動装置が、ドラムに接続された動作面に作用するように設けられ、任意に、チャネルが製品を通過させることができるように第１の位置にドラムを動かす、又は、チャネルが閉鎖部により閉鎖される第２の位置にドラムを動かす。
【０００７】
提案される容器には、任意の所望する製品量を取り出せるという利点がある。ユーザーは、製品の放出口として設けられる作動装置を時々動かすことにより、製品放出開口部から製品を流出させることができる。この過程では、任意の所望の製品量に対する製品流出の持続時間を、ユーザーが決定する。簡便な方法で、容器を片手で使用することができる。チャネルの位置により、製品がチャネルを流れたり、チャネルが製品を流れなくするように閉じられたりする。
【発明を実施するための最良の形態】
【０００８】
本発明による容器の有利な実施形態を、請求項２〜６に記載する。
【０００９】
（請求項２による）作動装置が作動つまみであり、収納領域の開口部を通って前記つまみ上に設計されたピンを介して前記動作面に作用することとし、及び、バネを用い、チャネルが閉鎖部により閉鎖される位置、好ましくは第２の位置でドラムが保持されることとし、この構成により、技術的に信頼できる設計及び製品放出用装置の簡便な手動による作動の両方が確実になる。ボタンを押すことにより、チャネルが十分に製品通過位置に回転する。作動つまみが開放される時、バネの力によりチャネルが閉鎖位置に回転して戻り、それ以上製品が放出されない。
【００１０】
ドラム凹部（請求項３）の表面は、ドラム設定が異なる場合でも、堅牢で確実な動作面に適している。
【００１１】
接続部上のじょうご部（請求項４）は、製品がリザーバからチャネル内に流出する経路となる。
【００１２】
請求項５による、容器が長手方向に伸長する形状の場合、製品放出開口部が設けられる末端部で、前記容器をペンのようにつかみ保持することができる。特に美容院業界において、ぬれた状態の手でもより簡便に保持するために、製品放出開口部反対側の容器末端部に容器拡張部が設けられていると好都合である（請求項６）。
【００１３】
容器１（図１）は、製品保持用リザーバ３を伴う、製品の放出、詳細には少しずつもしくは自由に流出させる装置２を有し、及び製品放出開口部４は、リザーバ３と装置２との間に接続部５を有し、前記接続部はねじ込み式接続方式により接続される。
【００１４】
装置２は、リザーバ３に向いて配置される凹部１７を含む支承部１１と、製品放出開口部４に向いて配置される放出口１８を有する（図２）。回転ドラム１０が支承部１１内に格納され、ドラムはチャネル６を有する。チャネル６は、凹部１７及び放出口１８の両方に向いて第１の位置に配置される（図３）。支承部１１上の閉鎖部１６が、チャネル６の閉鎖に用いられる。手動で使用可能な作動装置９が、ドラム凹部１９内で作動し、ドラム１０に接続された動作面７に作用するように設けられ、任意に、チャネル６が製品を通過させることができるように第１の位置にドラム１０を動かす、又は、チャネル６が閉鎖部１６により閉鎖される第２の位置（図２）にドラムを動かす。
【００１５】
作動装置９は作動つまみであり、前記つまみ上に設計されたピン１２によって支承部１１の開口部を通って前記動作面７に作用する。バネを用い、チャネル６が閉鎖部１６により閉鎖される位置にドラム１０は保持される。
【００１６】
容器１は、製品放出開口部４を用いて製品を小出しするため下向きに保持され、製品はリザーバ３からじょうご部１４を通ってチャネル６内に流れる。容器拡張部１３は、長手方向に伸長する容器１の末端部に設けられ、片手で使用可能な容器１を手で保持しやすくするために製品放出開口部４の反対側にある。
【００１７】
本発明について、１つの例示的な実施形態を示す図を参照して、以下で詳細に説明する。次のものが図示されている。
【図面の簡単な説明】
【００１８】
【図１】製品を自由に流出する作動つまみとして設計された作動装置を伴う、容器の斜視図。
【図２】作動装置が押されずチャネルが閉じている、図１の容器の切欠図。
【図３】作動装置が押され製品放出のためチャネルを開放している、図２の対象の切欠図。
【図１】
2008539149.tif 000003
【図２】
2008539149.tif 000004
【図３】
2008539149.tif 000005
【国際調査報告】
2008539149.tif 000006
2008539149.tif 000007